(57)【要約】【課題】レンズの中央上端に設けられた凸部を挟持してレンズを保持する眼鏡用フレームにおいて、レンズの傾きを抑制する。【解決手段】本眼鏡用フレームは、レンズの中央上端から上方向に突出する凸部が圧入される被圧入部と、被圧入部に圧入される凸部の左右それぞれにおいて被圧入部の底部から突出し、被圧入部に凸部が圧入されるレンズに当接される突起部と、を備える。【選択図】図１
2019139193.tif 000002
【特許請求の範囲】
【請求項１】
レンズの中央上端から上方向に突出する凸部が圧入される被圧入部と、
前記被圧入部に圧入される前記凸部の左右それぞれにおいて前記被圧入部の底部から突出し、前記被圧入部に前記凸部が圧入される前記レンズに当接される突起部と、を備える、
眼鏡用フレーム。
【請求項２】
前記突起部は、弾性を有する樹脂によって形成される、
請求項１に記載の眼鏡用フレーム。
【請求項３】
前記樹脂は、ポリアミドである、
請求項２に記載の眼鏡用フレーム。
【請求項４】
前記凸部の左側に配置された前記突起部が前記レンズに印加する弾性力と前記凸部の右側に配置された前記突起部が前記レンズに印加する弾性力とが、前記レンズが左右のいずれにも傾いていない状態においてつり合う、
請求項２または３に記載の眼鏡用フレーム。
【請求項５】
前記レンズは、左眼用レンズと右眼用レンズとが一体で形成される、
請求項１から４のいずれか一項に記載の眼鏡用フレーム。
【請求項６】
請求項１から５のいずれか一項に記載の眼鏡用フレームと、
前記被圧入部に前記凸部が圧入された前記レンズと、を備える、
眼鏡。
【請求項７】
請求項１から５のいずれか一項に記載の眼鏡用フレームと、
前記被圧入部に前記凸部が圧入された前記レンズと、を備え、
前記レンズは拡大鏡である、
眼鏡型拡大鏡。
【発明の詳細な説明】
【技術分野】
【０００１】
本発明は、眼鏡用フレーム、眼鏡及び眼鏡型拡大鏡に関する。
【背景技術】
【０００２】
眼鏡や眼鏡型拡大鏡において、レンズは眼鏡用フレームによって保持される。眼鏡用フレームによるレンズの保持は、様々な方法が提案されている（例えば、特許文献１参照）。
【先行技術文献】
【特許文献】
【０００３】
【特許文献１】特開２０１０−０８５８９６号公報
【発明の概要】
【発明が解決しようとする課題】
【０００４】
レンズを保持する方法の一つに、レンズの中央上端に上方向に突出する凸部を設け、当該凸部を眼鏡用フレームに形成された凹部である被圧入部に圧入してレンズを保持する方法がある。眼鏡用フレームは、例えば、弾性部材で形成されており、圧入された凸部を弾性力で挟持することで、レンズは保持される。圧入された凸部の挟持は、通常の使用であればレンズが傾かない程度の強度を有する。
【０００５】
眼鏡用フレーム及びレンズの製造誤差等を考慮して、被圧入部の底部とレンズの上端部との間には若干の隙間が設けられる。そのため、眼鏡用フレームやレンズに強い力が印加されると、眼鏡用フレームによって挟持された凸部を中心にレンズが傾くことがある。
【０００６】
そこで、開示の技術の１つの側面は、レンズの中央上端に設けられた凸部を挟持してレンズを保持する眼鏡用フレームにおいて、レンズの傾きを抑制することを課題とする。
【課題を解決するための手段】
【０００７】
開示の技術の１つの側面は、次のような眼鏡用フレームによって例示される。本眼鏡用フレームは、レンズの中央上端から上方向に突出する凸部が圧入される被圧入部と、被圧入部に圧入される凸部の左右それぞれにおいて被圧入部の底部から突出し、被圧入部に凸部が圧入されるレンズに当接される突起部と、を備える。
【０００８】
開示の技術において、レンズに設けられた凸部の左右それぞれに設けられた突起がレンズに当接される。そのため、凸部を中心に回転するようにレンズが傾こうとする動きは突起によって阻害される。そのため、開示の技術によれば、レンズの中央上端に設けられた凸部を挟持してレンズを保持する眼鏡用フレームにおいて、レンズの傾きが抑制される。
【０００９】
開示の技術において、突起部は弾性を有する樹脂によって形成されてもよい。レンズが凸部を中心に傾くと、左右のいずれかの突起部が傾いたレンズによって圧縮される。圧縮された突起部が弾性力によってレンズを押圧することで、レンズは傾きを打ち消す方向に動かされる。そのため、このような技術によれば、仮にレンズが傾くことがあっても、その傾きを修整することができる。強度及び弾性を考慮すると、眼鏡用フレームに採用する樹脂は、ポリアミドが好適である。
【００１０】
開示の技術において、凸部の左側に配置された突起部がレンズに印加する弾性力と凸部の右側に配置された突起部がレンズに印加する弾性力とが、レンズが左右のいずれにも傾
いていない状態においてつり合っていてもよい。ここで、「凸部の左側に配置された突起部がレンズに印加する弾性力と凸部の右側に配置された突起部がレンズに印加する弾性力とが、レンズが左右のいずれにも傾いていない状態においてつり合う」とは、厳密な意味でつり合うことを意味するわけではなく、レンズの左右のいずれにも傾いていない状態に支持できれば、凸部の左側に配置された突起部がレンズに印加する弾性力と凸部の右側に配置された突起部がレンズに印加する弾性力との間に多少の差があってもよい。突起部が弾性力によってレンズを支持することで、レンズのずれがより効果的に抑制できる。
【００１１】
開示の技術において、眼鏡用フレームによって保持されるレンズは、左眼用レンズと右眼用レンズとが一体で形成されていてもよい。開示の技術は、上記した眼鏡用フレームを備える眼鏡であってもよい。また、開示の技術は、上記した眼鏡用フレームとレンズを備え、当該レンズが拡大鏡である眼鏡型拡大鏡であってもよい。
【発明の効果】
【００１２】
本開示の技術は、レンズの中央上端に設けられた凸部を挟持してレンズを保持する眼鏡用フレームにおいて、レンズの傾きを抑制することができる。
【図面の簡単な説明】
【００１３】
【図１】図１は、実施形態に係る眼鏡型拡大鏡の一例を示す図である。
【図２】図２は、フレームを下方から見た図の一例である。
【図３】図３は、ルーペの一例を示す図である。
【図４】図４は、図１におけるＡ−Ａ線断面図の一例である。
【図５】図５は、図４における領域Ｃの拡大図の一例である。
【図６】図６は、ルーペが凸部を中心に傾いたときの状態を例示する概略図である。
【図７】図７は、比較例に係るフレームの一例を示す図である。
【図８】図８は、比較例に係るフレームを採用した場合における、図１のＡ−Ａ線断面図に相当する断面図の一例である。
【図９】図９は、変形例に係るルーペの一例を示す図である。
【図１０】図１０は、変形例に係るルーペの凸部を右方向から見た図の一例である。
【図１１】図１１は、変形例に係る突起の一例を示す図である。
【発明を実施するための形態】
【００１４】
以下、図面を参照して、実施形態について説明する。以下に示す実施形態の構成は例示であり、開示の技術は実施形態の構成に限定されない。
【００１５】
＜実施形態＞
図１は、実施形態に係る眼鏡型拡大鏡１００の一例を示す図である。眼鏡型拡大鏡１００は、フレーム１およびルーペ２を備える。本明細書において、フレーム１の方向を上、ルーペ２の方向を下とする。また、眼鏡型拡大鏡１００を装着する利用者の右手側を右、左手側を左とする。図２は、フレーム１を下方から見た図の一例である。本明細書において、前フレーム１１側を前、テンプル１９側を後ろとする。以下、図面を参照して、実施形態に係る眼鏡型拡大鏡１００について説明する。
【００１６】
眼鏡型拡大鏡１００では、物体の像を拡大するルーペ２がフレーム１によって保持される。利用者は、テンプル１９、１９を耳にかけるように装着することで、利用者の眼の前にルーペ２が位置する。利用者は、ルーペ２を介することで、物体を拡大して見ることができる。
【００１７】
ルーペ２は、物体の像を拡大するレンズである。図３は、ルーペ２の一例を示す図である。ルーペ２は、右眼用レンズ２ａと左眼用レンズ２ｂとが一体として形成されており、
眼鏡型拡大鏡１００を装着する利用者の両目を覆う程度の大きさを有する。ルーペ２は、中央上端から上方向に突出する凸部２１を有する。すなわち、凸部２１は、ルーペ２が前フレーム１１に保持されるときにおいて、前フレーム１１側に突出する。ルーペ２は、「レンズ」の一例である。
【００１８】
フレーム１は、ルーペ２を保持するとともに、眼鏡型拡大鏡１００を利用者に装着可能とする部材である。フレーム１は、弾性を有する弾性部材で形成されており、例えば、ポリアミド、ポリカーボネート等の弾性を有する樹脂で形成される。フレーム１は、強度や弾性を考慮すると、ポリアミドで形成されることがより好ましい。フレーム１は、前フレーム１１とテンプル１９、１９とを含む。前フレーム１１は、ルーペ２を保持する部材である。テンプル１９、１９は、利用者の耳にかかることで、眼鏡型拡大鏡１００を保持する部材である。テンプル１９、１９は、ヒンジ１８、１８によって回動可能に前フレーム１１に接続される。テンプル１９、１９の各々を区別するときは、前フレーム１１の右側に接続されるテンプル１９をテンプル１９ａ、前フレーム１１の左側に接続されるテンプル１９をテンプル１９ｂと称する。
【００１９】
図４は、図１におけるＡ−Ａ線断面図の一例である。図４を参照すると理解できるように、ルーペ２は、ルーペ２の上端側の方が下端側よりも前方に出るように前フレーム１１によって保持される。図５は、図４における領域Ｃの拡大図の一例である。前フレーム１１の中央付近には、被圧入部１２が形成される。被圧入部１２は、左右方向に所定の幅を有するとともに下方向に突出し、前後方向に離間して設けられる壁部１２ａ、１２ｂによって形成される。壁部１２ａ、１２ｂは前後方向から眼鏡型拡大鏡１００を見たときに互いに略重なる位置に配置される。壁部１２ａ、１２ｂの間の前後方向の距離は、ルーペ２の凸部２１の前後方向の厚みよりも若干短く形成されており、凸部２１が壁部１２ａ、１２ｂの間に圧入されることで前後方向に押し広げられた壁部１２ａ、１２ｂが弾性力によって凸部２１を挟持する。壁部１２ａ、１２ｂによる挟持は、通常の使用であればルーペ２が傾かない程度の強度を有する。被圧入部１２の底部１２ｃとルーペ２との間には、フレーム１およびルーペ２の製造誤差等を考慮して若干の隙間が形成される。
【００２０】
壁部１２ａ、１２ｂの間には、被圧入部１２の底部１２ｃから下方に向かって突出する突起１３ａ、１３ｂ（図１参照）が設けられる。ルーペ２の凸部２１が壁部１２ａ、１２ｂの間に圧入された状態において、突起１３ａは凸部２１の右側に、突起１３ｂは凸部２１の左側に配置される。すなわち、ルーペ２の凸部２１が被圧入部１２に圧入された状態において、突起１３ａはルーペ２の上端部２２ａに向かって突出し、突起１３ｂはルーペ２の上端部２２ｂに向かって突出する。突起１３ａ、１３ｂの自然長は、凸部２１が壁部１２ａ、１２ｂの間に圧入されたルーペ２が左右のいずれにも傾いていない状態において、それぞれルーペ２の上端部２２ａ、２２ｂに当接する長さである。以下、本明細書において、凸部２１が被圧入部１２に圧入されたルーペ２が左右のいずれにも傾いていない状態を、ルーペ２の定位置と称する。突起１３ａ、１３ｂがルーペ２の上端部２２ａ、２２ｂに当接することで、ルーペ２の定位置からのずれが抑制される。突起１３ａ、１３ｂは、「突起部」の一例である。フレーム１は、「眼鏡用フレーム」の一例である。
【００２１】
眼鏡型拡大鏡１００は、凸部２１を壁部１２ａ、１２ｂで挟持する構成であるため、印加される力の方向及び強さによっては、ルーペ２が若干傾くことがあり得る。図６は、ルーペ２が凸部２１を中心に傾いたときの状態を例示する概略図である。図６では、壁部１２ａ、１２ｂの図示は省略されている。図６では、ルーペ２が傾いた結果、左眼用レンズ２ｂの方が右眼用レンズ２ａよりも高くなっている。ルーペ２がこのように傾くと、突起１３ｂは、左眼用レンズ２ｂの上端部２２ｂによって押圧されることで圧縮されて短くなる。上記の通り、突起１３ｂを含むフレーム１は弾性部材で形成されているため、短くなった突起１３ｂは弾性力によりルーペ２の上端部２２ｂを押圧する。突起１３ｂによって
押圧されることでルーペ２は、凸部２１を中心として傾きを修整する方向に回転する。突起１３ａ、１３ｂは、定位置におけるルーペ２の上端部２２ａ、２２ｂに当接する高さに形成されるため、ルーペ２の位置が定位置になると突起１３ｂが上端部２２ｂを押圧する力と、突起１３ａが上端部２２ａを押圧する力とがつり合い、ルーペ２の回転は終了する。そのため、突起１３ｂに押圧されることでルーペ２が定位置を超えて傾いてしまうこともない。上記では、左眼用レンズ２ｂの方が右眼用レンズ２ａよりも高くなった場合について説明したが、右眼用レンズ２ａの方が左眼用レンズ２ｂよりも高くなった場合も同様である。
【００２２】
実施形態との比較のため、比較例について検討する。図７は、比較例に係るフレーム１ａの一例を示す図である。図７は、フレーム１ａを下方から見た図となっている。フレーム１ａは、前フレーム１１の代わりに突起１３ａ、１３ｂが省略された前フレーム１１ａを採用する点を除いて、実施形態に係るフレーム１と同様である。
【００２３】
図８は、比較例に係るフレーム１ａを採用した場合における、図１のＡ−Ａ線断面図に相当する断面図の一例である。比較例に係るフレーム１ａでは、前フレーム１１ａがルーペ２の上端部２２ａ、２２ｂに当接される突起１３ａ、１３ｂを有さないため、実施形態に係るフレーム１を採用する場合よりもルーペ２が傾きやすい上、ルーペ２が傾いてしまうと、手で定位置に戻す等の操作をしない限り、ルーペ２は傾いたままとなる。
【００２４】
これに対して、実施形態に係る眼鏡型拡大鏡１００では、上記の通り、突起１３ａ、１３ｂによってルーペ２が傾きにくくなっている。また、ルーペ２が傾いた場合には、突起１３ａ、１３ｂの弾性力によってルーペ２の位置は定位置に戻される。そのため、実施形態に係る眼鏡型拡大鏡１００は、比較例に係る前フレーム１１ａを採用する場合と比較して容易に扱うことができる。
【００２５】
＜変形例＞
実施形態に係る眼鏡型拡大鏡１００では、右眼用レンズ２ａと左眼用レンズ２ｂとが一体化したルーペ２が採用されたが、右眼用レンズ２ａと左眼用レンズ２ｂとが分離したルーペを用いることもできる。この場合、右眼用レンズ２ａと左眼用レンズ２ｂのそれぞれに凸部２１が設けられる。前フレーム１１には突起１３ａ、１３ｂを有する被圧入部１２が２つ設けられ、一方の被圧入部１２には右眼用レンズ２ａの凸部２１が圧入され、他方の被圧入部１２には左眼用レンズ２ｂの凸部２１が圧入されればよい。
【００２６】
実施形態では、右眼用レンズ２ａの上端部２２ａに当接される突起１３ａと、左眼用レンズ２ｂの上端部２２ｂに当接される突起１３ｂとが、ひとつずつ設けられる。しかしながら、突起１３ａ、１３ｂの個数は、それぞれ複数であってもよい。
【００２７】
実施形態では、ルーペ２にはひとつの凸部２１が設けられたが、凸部２１の数が一つに限定されるわけではない。図９は、変形例に係るルーペ２０の一例を示す図である。図９に例示されるように、凸部２１は、ルーペ２０の上端部に沿って並ぶ３つの凸部２１ａ、２１ｂ、２１ｃを有してもよい。図１０は、変形例に係るルーペ２０の凸部２１ａ、２１ｂ、２１ｃを右方向から見た図の一例である。変形例に係るルーペ２０では、３つの凸部のうち中央の凸部２１ｂは前方向に傾斜し、左右の凸部２１ａ、２１ｃは後ろ方向に傾斜している。すなわち、凸部２１ａ、２１ｂ、２１ｃは、前方向に傾斜する凸部と後ろ方向に傾斜する凸部とが交互に並んでいる。このような凸部２１ａ、２１ｂ、２１ｃが前フレーム１１の被圧入部１２に圧入されると、凸部２１が被圧入部１２に圧入される場合よりもより強く被圧入部１２は広げられる。そのため、前フレーム１１は、ルーペ２０をより強く保持することができる。なお、被圧入部１２において、凸部２１ａ、２１ｂ、２１ｃと係合する爪部を設けることで、前フレーム１１によるルーペ２０の保持をより強くして
もよい。
【００２８】
実施形態では、突起１３ａ、１３ｂは、その自然長において定位置であるルーペ２の上端部２２ａ、２２ｂに当接した。すなわち、突起１３ａ、１３ｂの自然長は、定位置であるルーペ２の上端部２２ａ、２２ｂから前フレーム１１までの長さであった。しかしながら、突起１３ａ、１３ｂはこのような構成に限定されない。突起１３ａ、１３ｂの自然長は、定位置であるルーペ２の上端部２２ａ、２２ｂから前フレーム１１までの距離よりも若干長くても良い。図１１は、変形例に係る突起１３ａ、１３ｂの一例を示す図である。この場合、突起１３ａ、１３ｂは、定位置であるルーペ２の上端部２２ａ、２２ｂに押圧されることで圧縮される。このような場合、ルーペ２の凸部２１を挟んで左右に配置される突起１３ａ、１３ｂの各々がルーペ２の上端部２２ａ、２２ｂに印加する弾性力Ｆ１３ａと弾性力Ｆ１３ｂとがルーペ２の定位置においてつり合うことで、ルーペ２は定位置に保たれる。なお、弾性力Ｆ１３ａと弾性力Ｆ１３ｂとがつり合うとは、厳密な意味でつり合うことに限定されるわけではなく、ルーペ２を定位置に支持可能であれば、弾性力Ｆ１３ａと弾性力Ｆ１３ｂとの間に多少の差があってもよい。このような突起１３ａ、１３ｂの位置は、ルーペ２が前フレーム１１から外れない範囲において、ルーペ２の左右方向の中心２２ｃから突起１３ａまでの距離Ｌ１３ａと突起１３ａが上端部２２ａに与える弾性力Ｆ１３ａとの積と、凸部２１から突起１３ｂまでの距離Ｌ１３ｂと突起１３ｂが上端部２２ｂに与える弾性力Ｆ１３ｂとの積とが等くなる位置であればよい。すなわち、突起１３ａ、１３ｂの位置は、凸部２１のまわりにおけるモーメントが０になる位置であればよい。圧縮された突起１３ａ、１３ｂが弾性力によってルーペ２を支持することで、定位置からのルーペ２のずれがより効果的に抑制できる。
【００２９】
実施形態では、ルーペ２を備える眼鏡型拡大鏡１００について説明したが、ルーペ２の代わりに近視や遠視を矯正する眼鏡用のレンズ備える眼鏡であってもよい。また、ルーペ２の代わりに偏光レンズ、ブルーライトを低減するレンズ等が採用されてもよい。
【００３０】
以上説明した実施形態や変形例は、それぞれ組み合わせることができる。
【符号の説明】
【００３１】
１００・・・眼鏡型拡大鏡
１、１ａ・・・フレーム
１１、１１ａ・・・前フレーム
１２・・・被圧入部
１２ａ、１２ｂ・・・壁部
１２ｃ・・・底部
１３ａ、１３ｂ・・・突起
１８・・・ヒンジ
１９、１９ａ、１９ｂ・・・テンプル
２・・・ルーペ
２ａ・・・右眼用レンズ
２ｂ・・・左眼用レンズ
２１・・・凸部
２２ａ、２２ｂ・・・上端部
【図１】
2019139193.tif 000003
【図２】
2019139193.tif 000004
【図３】
2019139193.tif 000005
【図４】
2019139193.tif 000006
【図５】
2019139193.tif 000007
【図６】
2019139193.tif 000008
【図７】
2019139193.tif 000009
【図８】
2019139193.tif 000010
【図９】
2019139193.tif 000011
【図１０】
2019139193.tif 000012
【図１１】
2019139193.tif 000013